(57)【要約】【課題】Ｘ線ＣＴ装置において、収集される騒音源からの騒音を効果的に低減することで、操作者が、マイクロホンを通した患者の音声を明瞭に識別できるようにすること。【解決手段】医用画像診断装置は、スキャナ装置２１と、音声を収集する集音部Ｍ、及び、集音部Ｍの外周に沿って設けられ進退方向に進退可能な回折板Ｄを備えた集音装置４２と、を設ける。回折板Ｄは、集音装置４２とスキャナ装置２１の騒音源との位置関係に応じて進退方向の位置が可変の構成を有する。【選択図】  図３
2017064240.tif 000002
【特許請求の範囲】
【請求項１】
スキャナ装置と、
音声を収集する集音部、及び、前記集音部の外周に沿って設けられ前記集音部の軸方向に平行な方向を進退方向として進退可能な回折板を備えた集音装置と、を設け、
前記回折板は、前記集音装置と前記スキャナ装置の騒音源との位置関係に応じて前記進退方向の位置が可変の構成を有する医用画像診断装置。
【請求項２】
前記回折板は、前記集音装置と騒音源との位置関係に応じて前記騒音源からの直接音の回折距離が略同一となるように前記進退方向の位置が可変の構成を有する請求項１に記載の医用画像診断装置。
【請求項３】
前記スキャナ装置は、
Ｘ線を照射するＸ線管と、
複数のＸ線検出素子を有し、前記Ｘ線を検出するＸ線検出器と、
前記Ｘ線管及び前記Ｘ線検出器を保持する架台装置と、
前記集音装置と、
を設けた請求項１又は２に記載の医用画像診断装置。
【請求項４】
前記騒音源は、前記架台装置の回転架台に備えられた部材である請求項３に記載の医用画像診断装置。
【請求項５】
前記集音装置は、コンベンショナルスキャン、ダイナミックスキャン、及びステップアンドシュートのスキャンが実行されている間、角度が不変である構成を有する請求項３又は４に記載の医用画像診断装置。
【請求項６】
前記集音装置は、ヘリカルスキャンが実行されている間、被検体を載置する天板との位置関係に従って角度が可変である構成を有する請求項３又は４に記載の医用画像診断装置。
【請求項７】
前記集音装置の前記集音部は、単一指向性マイクによって構成される請求項１乃至６のうちいずれか一項に記載の医用画像診断装置。
【請求項８】
前記集音装置の前記回折板は、前記集音部の外周に沿って分割された複数の回折板要素を備え、各回折板要素は独立して、前記騒音源の位置に応じて前記進退方向の位置が可変の構成を有する請求項１乃至７のうちいずれか一項に記載の医用画像診断装置。
【請求項９】
音声を収集する集音部と、
前記集音部の外周に沿って設けられ前記集音部の軸方向に平行な方向を進退方向として進退可能な回折板と、を設け、
前記回折板は、前記集音装置と騒音源との位置関係に応じて前記進退方向の位置が可変の構成を有する集音装置。
【発明の詳細な説明】
【技術分野】
【０００１】
本発明の一態様としての実施形態は、医用画像診断装置及び集音装置に関する。
【背景技術】
【０００２】
医用画像診断装置としてのＸ線ＣＴ（ｃｏｍｐｕｔｅｄ  ｔｏｍｏｇｒａｐｈｙ）装置は、被検体を透過したＸ線の強度に基づいて、被検体についての情報を画像により提供するものであり、疾病の診断・治療や手術計画等を初めとする多くの医療行為において重要な役割を果たしている。
【０００３】
Ｘ線ＣＴ装置の架台装置のカバーの表面には、被検体（例えば、患者）の音声を収集するマイクロホンが埋設されて設けられる。マイクロホンは、主として天板に載置された患者の音声を収集する。また、マイクロホンは、架台装置の内部の騒音（雑音）を収集する。騒音源の１つとして、空冷により架台装置の内部の機器が冷却される場合、冷却ファンによる風切音が挙げられる。
【０００４】
架台装置の内部の冷却ファンによる騒音をキャンセリングしようと一般的なノイズキャンセリング技術が適用されても、患者の音声の音声帯域における騒音はキャンセリングできない問題がある。この場合、患者の音声と、その音声帯域における騒音とがともにはっきり聞こえてしまい、騒音低減の効果を得ることができない問題がある。
【０００５】
上記問題を解決するために、天板の上方に設けられた第１のマイクロホンと、天板の下方に設けられた第２のマイクロホンと、第１のマイクロホンにより出力された第１出力信号から第２のマイクロホンにより出力された第２出力信号を差分することにより、架台装置の内部で発生した架台内発生音に関する信号成分を除去する技術がある。
【先行技術文献】
【特許文献】
【０００６】
【特許文献１】特開２０１４−２３９１５号公報
【発明の概要】
【発明が解決しようとする課題】
【０００７】
しかしながら、従来技術によると、マイクロホンで収集される騒音が大きくＳ／Ｎ（患者の音声／騒音）が悪いため、マイクロホンを介して天板に載置された患者の音声を明瞭に識別できない。特に、従来技術によると、患者が天板に載置されている間に、騒音源が移動したり、主の騒音源が変化したりする場合に効果的に騒音を低減できない。
【課題を解決するための手段】
【０００８】
本実施形態に係る医用画像診断装置は、上述した課題を解決するために、スキャナ装置と、音声を収集する集音部、及び、前記集音部の外周に沿って設けられ前記集音部の軸方向に平行な方向を進退方向として進退可能な回折板を備えた集音装置と、を設け、前記回折板は、前記集音装置と前記スキャナ装置の騒音源との位置関係に応じて前記進退方向の位置が可変の構成を有する。
【０００９】
本実施形態に係る集音装置は、上述した課題を解決するために、音声を収集する集音部と、前記集音部の外周に沿って設けられ前記集音部の軸方向に平行な方向を進退方向として進退可能な回折板と、を設け、前記回折板は、前記集音装置と騒音源との位置関係に応じて前記進退方向の位置が可変の構成を有する。
【図面の簡単な説明】
【００１０】
【図１】本実施形態に係るＸ線ＣＴ装置の構成例を示す図。
【図２】本実施形態に係るＸ線ＣＴ装置に設けられる架台装置の構成例を示す側面、前面、及び後面図。
【図３】集音装置の構成を示す前面図及び側方断面図。
【図４】集音装置の構成を示す斜視図。
【図５】本実施形態に係るＸ線ＣＴ装置の機能を示すブロック図。
【図６】騒音源の位置に応じた回折板の位置を説明するための断面図。
【図７】騒音源の位置に応じた回折板の位置を説明するための断面図。
【図８】騒音源の位置に応じた回折板の位置を説明するための断面図。
【図９】予め登録されるテーブルの一例を示す図。
【図１０】天板の位置に応じた集音装置の角度を説明するための図。
【図１１】天板の位置に応じた集音装置の角度を説明するための図。
【図１２】予め登録されるテーブルの一例を示す図。
【発明を実施するための形態】
【００１１】
本実施形態に係る医用画像診断装置及び集音装置について、添付図面を参照して説明する。
【００１２】
本実施形態に係る医用画像診断装置は、騒音を発する騒音源と、被検体が天板に載置されている間に、騒音源の位置に応じて構造（回折板の移動量）が可変の集音装置とを備える。本実施形態に係る医用画像診断装置は、騒音を発する、移動を伴う騒音源と、騒音源の位置に応じて構造が可変のＸ線ＣＴ装置である場合を例にとって説明する。
【００１３】
図１は、本実施形態に係るＸ線ＣＴ装置の構成例を示す図である。図２は、本実施形態に係るＸ線ＣＴ装置に設けられる架台装置の構成例を示す側面図、前面図、及び後面図である。
【００１４】
図１及び図２は、本実施形態に係るＸ線ＣＴ装置１を示す。Ｘ線ＣＴ装置１は、大きくは、スキャナ装置１１及び画像処理装置（コンソール）１２によって構成される。Ｘ線ＣＴ装置１のスキャナ装置１１は、通常は検査室に設置され、被検体（例えば、患者）Ｏに関するＸ線の透過データを生成するために構成される。一方、画像処理装置１２は、通常は検査室に隣接する制御室に設置され、透過データを基に投影データを生成して再構成画像の生成・表示を行なうために構成される。
【００１５】
Ｘ線ＣＴ装置１のスキャナ装置１１は、架台装置２１、寝台装置２２、及びコントローラ２３を備える。
【００１６】
スキャナ装置１１の架台装置２１は、土台部（図示しない）に固定された固定架台３１と、回転架台３２とを備える。
【００１７】
固定架台３１は、回転駆動機構４１及び集音装置４２を備える。回転駆動機構４１は、コントローラ２３による制御によって、回転架台３２がその位置関係を維持した状態で回転中心を含む開口部の周りを回転するように回転架台３２を固定架台３１に対して回転させる機構を有する。
【００１８】
集音装置４２としての前面集音装置４２Ｆは、図２に示すように、固定架台３１の前面側における架台カバー３１Ｆに設けられる。前面集音装置４２Ｆの集音部Ｍ（図３に図示）はフロントマイクと呼ばれ、患者Ｏの音声及び騒音を収集する。集音装置４２としての後面集音装置４２Ｂは、図２に示すように、固定架台３１の後面側における架台カバー３１Ｂに設けられる。後面集音装置４２Ｂの集音部Ｍ（図３に図示）はリアマイクと呼ばれ、患者Ｏの音声及び騒音を収集する。
【００１９】
図３は、集音装置４２の構成を示す前面図及び側方断面図である。図４は、集音装置４２の構成を示す斜視図である。
【００２０】
図３及び図４に示すように、集音装置４２は、集音部（マイクロホン）Ｍ及び回折板Ｄを備える。集音部Ｍとしては指向性マイク（単一指向性マイク）が利用されることが好適であるので、以下、集音部Ｍが指向性マイクＭである場合について説明する。
【００２１】
指向性マイクＭは、筐体Ｃ及び振動板Ｖを備え、後方に形成される貫通孔（穴）に障害物Ｈを備える。指向性マイクＭの前方からの音声は、振動板Ｖの表側に伝わる（直接音）。一方で、指向性マイクＭの前方からの音声は、指向性マイクＭの周囲から回り込み障害物Ｈを介して減速され振動板Ｖの裏側への到達が直接音よりさらに遅くなる。つまり、指向性マイクＭの前方からの音声は、直接音及び間接音の振動板Ｖへの到達の時間差によってエネルギーが相殺されずに電気出力される。
【００２２】
また、指向性マイクＭの後方からの騒音（雑音）は、指向性マイクＭの周囲から回り込み振動板Ｖの表側に届く（直接音）。一方で、指向性マイクＭの後方からの騒音は、障害物Ｈを介して減速され直接音と同時にと略同時に振動板Ｖの裏側に届く（間接音）。つまり、指向性マイクＭの後方からの騒音は、振動板Ｖの表側と裏側で同時に生じた同量のエネルギーとして相殺されるので電気出力にならない。
【００２３】
ここで、回折板Ｄは、指向性マイクＭの外周に沿って設けられ、コントローラ２３による制御によって、指向性マイクＭの軸方向に平行な方向を進退方向として進退可能である。また、回折板Ｄは、指向性マイクＭの外周に沿って分割された複数の回折板要素を備える。コントローラ２３による制御によって、指向性マイクＭの後方の騒音源からの直接音の回折距離が略同一となるように、回折板Ｄの各回折板要素は独立して進退方向の位置が可変である。図３及び図４において、回折板Ｄが１２個の回折板要素によって構成される例を示すが、１２個に限定されるものではない。
【００２４】
図１及び図２の説明に戻って、回転架台３２は、Ｘ線源（Ｘ線管）５１、絞り５２、Ｘ線検出器５３、ＤＡＳ（ｄａｔａ  ａｃｑｕｉｓｉｔｉｏｎ  ｓｙｓｔｅｍ）５４、及び高電圧発生装置５５を一体として保持する。回転架台３２は、Ｘ線管５１とＸ線検出器５３とを対向させた状態で、Ｘ線管５１、絞り５２、Ｘ線検出器５３、ＤＡＳ５４、及び高電圧発生装置５５を一体として患者Ｏの周りに回転できるように構成されている。なお、回転架台３２の回転中心軸と平行な方向、すなわち、天板６１の長手方向をｚ方向、そのｚ方向に直交する平面をｘ方向、ｙ方向で定義する。
【００２５】
Ｘ線管５１は、高電圧発生装置５５から供給された管電圧に応じて金属製のターゲットに電子線を衝突させることでＸ線（連続スペクトルＸ線）を発生させ、Ｘ線検出器５３に向かって照射する。Ｘ線管５１から照射されるＸ線によって、ファンビームＸ線やコーンビームＸ線が形成される。Ｘ線管５１は、高電圧発生装置５５を介したコントローラ２３による制御によって、Ｘ線の照射に必要な電力が供給される。
【００２６】
絞り５２は、絞り駆動機構（図示しない）によって、Ｘ線管５１から照射されるＸ線の照射範囲（照射野）を調整する。すなわち、絞り５２の開口を調整することによって、スライス方向のＸ線照射範囲を変更できる。
【００２７】
Ｘ線検出器５３は、チャンネル方向に複数、及び列（スライス）方向に単数の検出素子を有する１次元アレイ型の検出器である。又は、Ｘ線検出器５３は、マトリクス状、すなわち、チャンネル方向に複数、及びスライス方向に複数の検出素子を有する２次元アレイ型の検出器（マルチスライス型検出器ともいう。）である。
【００２８】
ＤＡＳ５４は、Ｘ線検出器５３の各検出素子が検出する透過データ（Ｘ線検出データ）の信号を増幅してデジタル信号に変換する。ＤＡＳ５４の出力データは、スキャナ装置１１のコントローラ２３を介して画像処理装置１２に供給される。ＤＡＳ５４の詳細については後述する。
【００２９】
高電圧発生装置５５は、コントローラ２３による制御によって、スキャンを実行するために必要な電力をＸ線管５１に供給する。
【００３０】
スキャナ装置１１の寝台装置２２は、天板６１及び天板駆動機構６２を備える。天板６１は、患者Ｏを載置可能である。
【００３１】
天板駆動機構６２は、コントローラ２３による制御によって、天板６１をｙ方向に沿って昇降動させると共に、ｚ方向に沿って進入／退避動させる機構を有する。天板駆動機構６２は、回転架台３２の回転中心を含む開口部に向けて天板６１に載置された患者Ｏを挿入させ、開口部から天板６１に載置された患者Ｏを退避させる。
【００３２】
スキャナ装置１１のコントローラ２３は、図示しない処理回路（ｐｒｏｃｅｓｓｉｎｇ  ｃｉｒｃｕｉｔｒｙ）及びメモリ等を備える。コントローラ２３は、画像処理装置１２からの指示によって、架台装置２１の回転駆動機構４１、Ｘ線検出器５３、ＤＡＳ５４、及び高電圧発生装置５５や、寝台装置２２の天板駆動機構６２等の制御を行なってスキャンを実行させる。
【００３３】
Ｘ線ＣＴ装置１の画像処理装置１２は、コンピュータをベースとして構成されており、ネットワーク（ｌｏｃａｌ  ａｒｅａ  ｎｅｔｗｏｒｋ）Ｎと相互通信可能である。画像処理装置１２は、大きくは、処理回路７１、記憶回路（記憶部）７２、入力回路（入力部）７３、ディスプレイ（表示部）７４、及びＩＦ（通信部）７５などの基本的なハードウェアから構成される。処理回路７１は、共通信号伝送路としてのバスを介して、画像処理装置１２を構成する各ハードウェア構成要素に相互接続されている。
【００３４】
処理回路７１は、専用又は汎用のＣＰＵ（ｃｅｎｔｒａｌ  ｐｒｏｃｅｓｓｉｎｇ  ｕｎｉｔ）又はＭＰＵ（ｍｉｃｒｏ  ｐｒｏｃｅｓｓｏｒ  ｕｎｉｔ）の他、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、及び、プログラマブル論理デバイスなどを意味する。プログラマブル論理デバイスとしては、例えば、単純プログラマブル論理デバイス（ＳＰＬＤ：ｓｉｍｐｌｅ  ｐｒｏｇｒａｍｍａｂｌｅ  ｌｏｇｉｃ  ｄｅｖｉｃｅ）、複合プログラマブル論理デバイス（ＣＰＬＤ：ｃｏｍｐｌｅｘ  ｐｒｏｇｒａｍｍａｂｌｅ  ｌｏｇｉｃ  ｄｅｖｉｃｅ）、及び、フィールドプログラマブルゲートアレイ（ＦＰＧＡ：ｆｉｅｌｄ  ｐｒｏｇｒａｍｍａｂｌｅ  ｇａｔｅ  ａｒｒａｙ）などが挙げられる。処理回路７１は記憶回路７２に記憶された、又は、処理回路７１内に直接組み込まれたプログラムを読み出し実行する。
【００３５】
また、処理回路７１は、単一の回路によって構成されてもよいし、複数の独立した回路を組み合わせによって構成されてもよい。後者の場合、プログラムを記憶する記憶回路７２は複数の回路ごとに個別に設けられてもよいし、単一の記憶回路７２が複数の回路の機能に対応するプログラムを記憶するものであってもよい。
【００３６】
処理回路７１は、記憶回路７２に格納されている各種制御プログラムを読み出して機能を実現すると共に、図５に示す機能８１〜８３における処理動作を統括的にする。
【００３７】
記憶回路７２は、ＲＡＭ（ｒａｎｄｏｍ  ａｃｃｅｓｓ  ｍｅｍｏｒｙ）、フラッシュメモリ（ｆｌａｓｈ  ｍｅｍｏｒｙ）等の半導体メモリ素子、ハードディスク、光ディスク等によって構成される。記憶回路７２は、ＵＳＢ（ｕｎｉｖｅｒｓａｌ  ｓｅｒｉａｌ  ｂｕｓ）メモリ及びＤＶＤ（ｄｉｇｉｔａｌ  ｖｉｄｅｏ  ｄｉｓｋ））などの可搬型メディアによって構成されてもよい。記憶回路７２は、処理回路７１において用いられる各種処理プログラム（アプリケーションプログラムの他、ＯＳ（ｏｐｅｒａｔｉｎｇ  ｓｙｓｔｅｍ）等も含まれる）や、プログラムの実行に必要なデータや、医用画像を記憶する。また、ＯＳに、操作者に対するディスプレイ７４への情報の表示にグラフィックを多用し、基礎的な操作を入力回路７３によって行なうことができるＧＵＩ（ｇｒａｐｈｉｃａｌ  ｕｓｅｒ  ｉｎｔｅｒｆａｃｅ）を含めることもできる。
【００３８】
入力回路７３は、操作者によって操作が可能なポインティングデバイス（マウス等）やキーボード等の入力デバイスからの信号を入力する回路であり、ここでは、入力デバイス自体も入力回路７３に含まれるものとする。操作者により入力デバイスが操作されると、入力回路７３はその操作に応じた入力信号を生成して処理回路７１に出力する。なお、画像処理装置１２は、入力デバイスがディスプレイ７４と一体に構成されたタッチパネルを備えてもよい。
【００３９】
ディスプレイ７４は、液晶ディスプレイやＯＬＥＤ（ｏｒｇａｎｉｃ  ｌｉｇｈｔ  ｅｍｉｔｔｉｎｇ  ｄｉｏｄｅ）ディスプレイなどの一般的な表示出力装置により構成され、処理回路７１の制御に従って生成された画像データを表示する。
【００４０】
ＩＦ（ｉｎｔｅｒｆａｃｅ）７５は、パラレル接続仕様やシリアル接続仕様に合わせたコネクタによって構成される。Ｘ線ＣＴ装置１がネットワーク上に設けられる場合、ＩＦ７５は、ネットワーク上の外部装置と情報の送受信を行なう。例えば、ＩＦ７５は、Ｘ線ＣＴ装置１によって生成された画像データを画像管理装置や読影端末（図示しない）に送信したりして、外部装置と通信動作を行なう。
【００４１】
画像処理装置１２は、スキャナ装置１１のＤＡＳ５４から入力された生データに対して対数変換処理や、感度補正等の補正処理（前処理）を行なって投影データを生成して記憶回路７２に記憶させる。また、画像処理装置１２は、前処理された投影データに対して散乱線の除去処理を行なう。画像処理装置１２は、Ｘ線照射範囲内の投影データの値に基づいて散乱線の除去を行なうものであり、散乱線補正を行なう対象の投影データ又はその隣接投影データの値の大きさから推定された散乱線を、対象となる投影データから減じて散乱線補正を行なう。画像処理装置１２は、補正された投影データに基づいて患者Ｏに関するＣＴ画像データを生成して記憶回路７２に記憶させたり、ディスプレイ７４に表示させたりする。
【００４２】
図５は、本実施形態に係るＸ線ＣＴ装置１の機能を示すブロック図である。
【００４３】
画像処理装置１２の処理回路７１がプログラムを実行することによって、Ｘ線ＣＴ装置１は、図５に示すように、スキャン条件設定機能（スキャン条件設定手段）８１、スキャン実行機能（スキャン実行手段）８２、及び画像生成機能（画像生成手段）８３として機能する。なお、機能８１〜８３の全部又は一部は、画像処理装置１２にハードウェアとして備えられるものであってもよい。また、機能８１〜８３の全部又は一部は、画像処理装置１２のみならず、コントローラ２３に備えられるものであってもよい。
【００４４】
スキャン条件設定機能８１は、入力回路７３からの入力に従ってスキャン領域を設定し、スキャン領域に対してスキャン条件を設定する。スキャン条件としては、Ｘ線照射条件、視野（ＦＯＶ：ｆｉｅｌｄ  ｏｆ  ｖｉｅｗ）、再構成条件、スライス厚、及びヘリカルピッチなどが挙げられる。
【００４５】
Ｘ線照射条件には、照射されるＸ線に係るパラメータが含まれる。このパラメータは、例えば、照射Ｘ線に関する、管電流ｍＡ、管電圧ｋＶ、Ｘ線強度制御条件（モジュレーション条件）、Ｘ線管５１（回転架台３２）の回転速度などが含まれる。視野に関するパラメータには、絞り５２の動作に関する制御パラメータが含まれる。再構成条件は、再構成関数及び再構成間隔などが含まれる。
【００４６】
また、スキャン条件設定機能８１は、入力回路７３からの入力に従って、コンベンショナルスキャン（非ヘリカルスキャン）、ヘリカルスキャン、ダイナミックスキャン、及びＳ＆Ｓ（ｓｔｅｐ  ａｎｄ  ｓｈｏｏｔ）を設定することができる。ここで、Ｓ＆Ｓとは、患者Ｏの一部分にＸ線を照射してスキャンした後に、Ｘ線の照射を停止した状態で天板６１（図１に図示）をｚ方向に所定の移動量だけ移動して、さらに他の部分にＸ線を照射してスキャンし、天板６１の移動とスキャンとを交互に繰り返すことによって、患者Ｏの広い範囲をスキャンする方法である。
【００４７】
スキャン実行機能８２は、コントローラ２３を制御して、スキャン条件設定機能８１によって設定されたスキャン領域に対してスキャンを実行する。スキャン実行機能８２は、位置特定機能８２ａ及び回折板制御機能８２ｂを有する。
【００４８】
位置特定機能８２ａは、集音装置４２の騒音源との位置関係を特定する。
【００４９】
回折板制御機能８２ｂは、位置特定機能８２ａによって特定された位置関係に応じて回折板Ｄ（図３及び図４に図示）の進退方向の位置を決定し、回折板Ｄの駆動機構（図示しない）を介して回折板Ｄの進退方向の位置を制御する。
【００５０】
ここで、図６〜図８を用いて、患者Ｏが天板６１に載置されている間に集音装置４２に対して騒音源の位置が移動する場合の、集音装置４２と騒音源との位置関係に応じた回折板Ｄの位置について説明する。騒音源としては、ＤＡＳ５４を冷却するために回転架台３２に設けられる冷却ファンが挙げられる。
【００５１】
図６〜図８は、騒音源の位置に応じた回折板Ｄの位置を説明するための断面図である。
【００５２】
図６は、固定架台３１（図１に図示）に設けられた集音装置４２と、回転架台３２（図１に図示）に設けられた騒音源Ｓとの位置関係の一例を示す。図６は、騒音源Ｓが回転架台３２の回転中心の真下に位置する場合の、集音装置４２の回折板Ｄの位置を示すものである。集音装置４２の振動板Ｖの位置をＶ（０，０，０）とすると、騒音源Ｓの位置は、Ｓ（０，ｙ１，ｚ１）と表される。
【００５３】
患者Ｏが天板６１に載置されている間であって、スキャン中に騒音源Ｓの位置が回転中心の真下のＳ（０，ｙ１，ｚ１）であると特定されると、回折板Ｄの複数の回折板要素のうちＳ（０，ｙ１，ｚ１）に最も近い回折板要素の位置は、指向性マイクＭに対して最大の迫り出し量となるように制御される。騒音源Ｓの位置が回転中心の真下のＳ（０，ｙ１，ｚ１）であると特定されると、回折板Ｄの複数の回折板要素のうちＳ（０，ｙ１，ｚ１）に最も遠い回折板要素の位置は、指向性マイクＭに対して最小の迫り出し量となるように制御される。騒音源Ｓの位置が回転中心の真下のＳ（０，ｙ１，ｚ１）であると特定されると、回折板Ｄの複数の回折板要素のうち他の回折板要素の位置は、最大の迫り出し量となる回折板要素から最小の迫り出し量となる回折板要素に向かって徐々に迫り出し量が減少するように制御される。
【００５４】
図６に示す回折板Ｄの複数の回折板要素をそれぞれ回折する、Ｓ（０，ｙ１，ｚ１）からの直接音Ｌ１，Ｌ２は、回折距離が略同一となるので、回折板要素の迫り出し量の違いにより略同時に前側から振動板Ｖに到達する。一方で、Ｓ（０，ｙ１，ｚ１）からの間接音は、短い距離を伝搬して後側から障害物Ｈを介して振動板Ｖに到達する。つまり、Ｓ（０，ｙ１，ｚ１）からの騒音は、振動板Ｖの表側と裏側で同時に生じた同量のエネルギーとして相殺されるので電気出力にならない。
【００５５】
図７は、固定架台３１（図１に図示）に設けられた集音装置４２と、回転架台３２（図１に図示）に設けられた騒音源Ｓとの位置関係の一例を示す。図７は、騒音源Ｓが回転架台３２の回転中心の真横に位置する場合の、集音装置４２の回折板Ｄの位置を示すものである。集音装置４２の振動板Ｖの位置をＶ（０，０，０）とすると、騒音源Ｓの位置は、Ｓ（±ｘ２，ｙ２，ｚ１）と表される。つまり、図７に示す騒音源Ｓの位置は、図６に示す騒音源Ｓの位置と比較してｘ方向及びｙ方向の位置のみ異なることになる。
【００５６】
患者Ｏが天板６１に載置されている間であって、スキャン中に騒音源Ｓの位置が回転中心の真横のＳ（±ｘ２，ｙ２，ｚ１）であると特定されると、回折板Ｄの複数の回折板要素のうちＳ（±ｘ２，ｙ２，ｚ１）に最も近い回折板要素の位置は、指向性マイクＭに対して最大の迫り出し量となるように制御される。騒音源Ｓの位置が回転中心の真横のＳ（±ｘ２，ｙ２，ｚ１）であると特定されると、回折板Ｄの複数の回折板要素のうちＳ（±ｘ２，ｙ２，ｚ１）に最も遠い回折板要素の位置は、指向性マイクＭに対して最小の迫り出し量となるように制御される。騒音源Ｓの位置が回転中心の真横のＳ（±ｘ２，ｙ２，ｚ１）であると特定されると、回折板Ｄの複数の回折板要素のうち他の回折板要素の位置は、最大の迫り出し量となる回折板要素から最小の迫り出し量となる回折板要素に向かって徐々に迫り出し量が減少するように制御される。なお、図７に示す最大の迫り出し量である回折板要素の迫り出し量は、図６に示す最大の迫り出し量である回折板要素の迫り出し量と比較して小さい。
【００５７】
図７に示す回折板Ｄの複数の回折板要素をそれぞれ回折する、Ｓ（±ｘ２，ｙ２，ｚ１）からの直接音は、回折距離が略同一となるので、回折板要素の迫り出し量の違いにより略同時に前側から振動板Ｖに到達する。一方で、Ｓ（±ｘ２，ｙ２，ｚ１）からの間接音は、短い距離を伝搬して後側から障害物Ｈを介して振動板Ｖに到達する。つまり、Ｓ（±ｘ２，ｙ２，ｚ１）からの騒音は、振動板Ｖの表側と裏側で同時に生じた同量のエネルギーとして相殺されるので電気出力にならない。
【００５８】
図８は、固定架台３１（図１に図示）に設けられた集音装置４２と、回転架台３２（図１に図示）に設けられた騒音源Ｓとの位置関係の一例を示す。図８は、騒音源Ｓが回転架台３２の回転中心の真上に位置する場合の、集音装置４２の回折板Ｄの位置を示すものである。集音装置４２の振動板Ｖの位置をＶ（０，０，０）とすると、騒音源Ｓの位置は、Ｓ（０，ｙ３，ｚ１）と表される。つまり、図８に示す騒音源Ｓの位置は、図６に示す騒音源Ｓの位置と比較してｙ方向の位置のみ異なることになる。
【００５９】
患者Ｏが天板６１に載置されている間であって、スキャン中に騒音源Ｓの位置が回転中心の真上のＳ（０，ｙ３，ｚ１）であると特定されると、回折板Ｄの複数の回折板要素のうちＳ（０，ｙ３，ｚ１）に最も近い回折板要素の位置は、指向性マイクＭに対して最大の迫り出し量となるように制御される。騒音源Ｓの位置が回転中心の真上のＳ（０，ｙ３，ｚ１）であると特定されると、回折板Ｄの複数の回折板要素のうちＳ（０，ｙ３，ｚ１）に最も遠い回折板要素の位置は、指向性マイクＭに対して最小の迫り出し量となるように制御される。騒音源Ｓの位置が回転中心の真上のＳ（０，ｙ３，ｚ１）であると特定されると、回折板Ｄの複数の回折板要素のうち他の回折板要素の位置は、最大の迫り出し量となる回折板要素から最小の迫り出し量となる回折板要素に向かって徐々に迫り出し量が減少するように制御される。なお、図８に示す最大の迫り出し量である回折板要素の迫り出し量は、図７に示す最大の迫り出し量である回折板要素の迫り出し量と比較して小さい。
【００６０】
図８に示す回折板Ｄの複数の回折板要素をそれぞれ回折する、Ｓ（０，ｙ３，ｚ１）からの直接音は、回折距離が略同一となるので、回折板要素の迫り出し量の違いにより略同時に前側から振動板Ｖに到達する。一方で、Ｓ（０，ｙ３，ｚ１）からの間接音は、短い距離を伝搬して後側から障害物Ｈを介して振動板Ｖに到達する。つまり、Ｓ（０，ｙ３，ｚ１）からの騒音は、振動板Ｖの表側と裏側で同時に生じた同量のエネルギーとして相殺されるので電気出力にならない。
【００６１】
図６〜図８を用いて説明したように、患者Ｏが天板６１（図１に図示）に載置されている間に集音装置４２による患者Ｏの音声の収集が行なわれる場合に、スキャン中に回転移動する騒音源Ｓの位置（ｙ方向の位置）に従って回折板Ｄの複数の回折板要素の迫り出し量がそれぞれ制御される。よって、集音装置４２が収集する騒音源Ｓからの騒音を効果的に低減することができる。
【００６２】
図５の説明に戻って、記憶回路７２は、予め、騒音源の位置と回折板Ｄ（図３及び図４に図示）の進退方向の位置との関係を予めテーブルとして登録しておいてもよい。その場合、回折板制御機能８２ｂは、登録されたテーブルを参照して、位置特定機能８２ａによって特定された騒音源の位置に対応する回折板Ｄの進退方向の位置を決定する。
【００６３】
図９は、予め登録されるテーブルの一例を示す図である。
【００６４】
図９に示すテーブルは、特定された騒音源の位置、すなわち、回転架台３２（図１に図示）の回転角度に対応する回折板Ｄの複数の回折板要素の位置との関係を示す。テーブルは、回転架台３２の回転角度ごとに、各回折板要素の位置を設定している。
【００６５】
図５の説明に戻って、画像生成機能８３は、スキャン実行機能８２によるスキャンによって取得された投影データを再構成して複数の画像データを生成する機能である。また、画像生成機能８４は、複数の画像をディスプレイ７４に表示させる機能である。
【００６６】
なお、騒音源がＸ線ＣＴ装置１の回転架台３２に備えられ、患者Ｏが天板６１に載置されている間に騒音源が移動する場合における集音装置４２の構造の変化について説明した。しかしながら、その場合に限定されるものではない。例えば、複数の騒音源がＸ線ＣＴ装置１に備えられ、患者Ｏが天板６１に載置されている間に主の騒音源が変わる場合に、集音装置４２の構造を変化させる。騒音源としては、回転架台３２に備えられるＤＡＳ５４の冷却ファンの他、回転架台３２に備えられるオイルクーラなどが挙げられる。オイルクーラは、Ｘ線管５１を冷却するための冷却用オイルを冷却するものである。騒音源としては、固定架台３１に備えられる天井ファンなども挙げられる。天井ファンは、架台装置２１の内部の空気を外部に送るものである。
【００６７】
患者Ｏが天板６１に載置されている間であって、スキャン前後においては、天井ファンが主な騒音源となる。一方で、患者Ｏが天板６１に載置されている間であって、スキャン中においては、ＤＡＳ５４の冷却ファンが主な騒音源となる。よって、患者Ｏが天板６１に載置されている間、直接音の回折距離が略同一となるように回折板Ｄの進退方向の位置が変化する。
【００６８】
また、複数の騒音源が医用画像診断装置としてのＭＲＩ（ｍａｇｎｅｔｉｃ  ｒｅｓｏｎａｎｃｅ  ｉｍａｇｉｎｇ）装置に備えられ、患者Ｏが天板に載置されている間に主の騒音源が変わる場合に、集音装置の構造が変化する場合もある。
【００６９】
ＭＲＩ装置は、超電導コイル、傾斜磁場コイル、及び冷凍機（例えば、コールドヘッド）などによって構成されるスキャナ装置を備える。ＭＲＩ装置において、患者Ｏが天板に載置されている間であって、スキャン前後においては、冷凍機が主な騒音源となる。冷凍機は、超電導コイルを超電導状態に保つために用いられる液体ヘリウムの保冷用に用いられる。一方で、ＭＲＩ装置において、患者Ｏが天板に載置されている間であって、スキャン中においては、傾斜磁場コイルが主な騒音源となる。よって、患者Ｏが天板に載置されている間、主な騒音源の切り替えに従って、直接音の回折距離が略同一となるように回折板の進退方向の位置が変化する。
【００７０】
本実施形態に係るＸ線ＣＴ装置１によると、集音装置４２によって収集される騒音源からの騒音を効果的に低減できるので、操作者は、集音装置４２を通した患者Ｏの音声を明瞭に識別できる。
【００７１】
（変形例）
上述したように、Ｘ線ＣＴ装置１は、集音装置４２と騒音源との位置関係に応じて回折板Ｄの位置が可変である構成を有する。Ｘ線ＣＴ装置１の変形例は、集音装置４２の角度（ｙ−ｚ平面内の揺動角度）と、集音装置４２及び騒音源の位置関係とに応じて回折板Ｄの位置が可変である構成を有する。集音装置４２の角度は、集音装置４２の軸方向がｚ方向における患者Ｏ（例えば、頭部）の位置に向かうように設定される。なお、ｚ方向における患者Ｏの頭部の位置は、ｚ方向における天板６１の位置と擬制されてもよい。その場合、ｚ方向における患者Ｏの頭部の位置と、ｚ方向における天板６１の位置との関係は、患者Ｏの頭部から架台装置３１の開口部に進入する場合（ｈｅａｄ  ｆｉｒｓｔ）と、患者Ｏの足部から架台装置３１の開口部に進入する場合（ｆｏｏｔ  ｆｉｒｓｔ）とで区別される。
【００７２】
図５に示す回折板制御機能８２ｂは、ｚ方向における天板６１の位置によって決まる集音装置４２の角度と、位置特定機能８２ａによって特定された位置関係とに応じて回折板Ｄ（図３及び図４に図示）の進退方向の位置を決定し、回折板Ｄの進退方向の位置を制御する。
【００７３】
スキャン条件設定機能８１によってコンベンショナルスキャン（非ヘリカルスキャン）、ダイナミックスキャン、又はＳ＆Ｓが選択されると、スキャン中に天板６１の移動を伴わない。その場合、回折板制御機能８２ｂは、スキャン中は常に、集音装置４２及び騒音源の位置関係に応じて回折板Ｄの位置を変える。一方で、スキャン条件設定機能８１によってヘリカルスキャンが選択されると、ヘリカルスキャン中に天板６１の移動を伴う。その場合、回折板制御機能８２ｂは、ヘリカルスキャン中は、ｚ方向における天板６１の位置によって決まる集音装置４２の角度と、集音装置４２及び騒音源の位置関係とに応じて回折板Ｄの位置を変える。
【００７４】
また、スキャン条件設定機能８１によってコンベンショナルスキャン、ダイナミックスキャン、又はＳ＆Ｓが選択された場合であっても、スキャン前後は天板６１の移動を伴う。その場合、回折板制御機能８２ｂは、スキャン前後は、ｚ方向における天板６１の位置によって決まる集音装置４２の角度と、集音装置４２及び騒音源の位置関係とに応じて回折板Ｄの位置を変えることもできる。
【００７５】
図１０及び図１１は、天板６１の位置に応じた集音装置４２の角度を説明するための図である。
【００７６】
図１０は、天板６１に患者Ｏが載置された直後の状態を示す。図１０に示すように、前面集音装置４２Ｆは、患者Ｏの頭部付近に向かう角度（ｘ軸の平行軸を軸とする角度）を有する。
【００７７】
図１１は、図１０に示す状態から、患者Ｏが載置された天板６１が架台装置３１の開口部（ボア）に向かって進んだ状態を示す。図１１に示すように、患者Ｏの頭部付近に向かう角度となるように前面集音装置４２Ｆの角度が図１０から変更される。
【００７８】
ここで、記憶回路７２は、予め、ｚ方向における天板６１の位置によって決まる集音装置４２の角度と、騒音源の位置と、回折板Ｄ（図３及び図４に図示）の進退方向の位置との関係を予めテーブルとして登録しておいてもよい。その場合、回折板制御機能８２ｂは、登録されたテーブルを参照して、集音装置４２の角度と、位置特定機能８２ａによって特定された位置関係とに対応する回折板Ｄの進退方向の位置を決定する。
【００７９】
図１２は、予め登録されるテーブルの一例を示す図である。
【００８０】
図１２に示すテーブルは、特定された騒音源の位置、すなわち、回転架台３２の回転角度に対応する回折板Ｄの複数の回折板要素の位置との関係を示す。テーブルは、回転架台３２の回転角度ごとに、各回折板要素の位置を設定している。
【００８１】
本実施形態に係るＸ線ＣＴ装置１の変形例によると、集音装置４２によって収集される騒音源からの騒音を効果的に低減でき、さらに、ｚ方向に移動する患者Ｏの音声を収集し易くなるので、操作者は、集音装置４２を通した患者Ｏの音声を明瞭に識別できる。
【００８２】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００８３】
１  Ｘ線ＣＴ装置
１１  スキャナ装置
１２  画像処理装置（コンソール）
２１  架台装置
３２  回転架台
５１  Ｘ線管
５３  Ｘ線検出器
６１  天板
７１  処理回路
８１  スキャン条件設定機能
８２  スキャン実行機能
８２ａ  位置特定機能
８２ｂ  回折板制御機能
８３  画像生成機能
【図１】
2017064240.tif 000003
【図２】
2017064240.tif 000004
【図３】
2017064240.tif 000005
【図４】
2017064240.tif 000006
【図５】
2017064240.tif 000007
【図６】
2017064240.tif 000008
【図７】
2017064240.tif 000009
【図８】
2017064240.tif 000010
【図９】
2017064240.tif 000011
【図１０】
2017064240.tif 000012
【図１１】
2017064240.tif 000013
【図１２】
2017064240.tif 000014